(57)【特許請求の範囲】
【請求項１】
改良型ワッシャーであって、ネジ保持ベルト上に保持されると共に、リング本体と、該リング本体の頂面に接着するように覆い被さる金属シェルを備え、
前記リング本体は、前記頂面を上部に備える小径筒状部と当該小径筒状部における下部に連なる大径筒状部とからなり、該大径筒状部における頂面が規制底壁とされるとともに、該リング本体の中央において頂面から底面まで貫通する挿通孔とを備え、
前記金属シェルは、前記リング本体の頂面から外周側に向かって延在すると共に、その底周縁に前記規制底壁と対向する規制部が構成され、当該規制部と前記規制底壁と前記小径筒状部とで環状溝を構成するとともに、該金属シェルの中央に、前記挿通孔と対応する孔穴が形成されることを特徴とする改良型ワッシャー。
【請求項２】
前記金属シェルが、前記孔穴から周囲に向かって下方に傾斜するテーパ状を呈することを特徴とする請求項１に記載の改良型ワッシャー。
【請求項３】
前記リング本体が、ゴム或はシリコーンゴムからなることを特徴とする請求項１に記載の改良型ワッシャー。
【請求項４】
前記リング本体は、該リング本体の表面を被覆する塗装層を有し、該塗装層の色は、前記金属シェルの色と同一であることを特徴とする請求項１から請求項３のいずれか１項に記載の改良型ワッシャー。
【発明の詳細な説明】
【技術分野】
【０００１】
本発明は、締結用のワッシャーに関し、特にネジ保持ベルト上に強固に保持することが可能な改良型ワッシャーに関するものである。
【背景技術】
【０００２】
ネジは、二つの締結対象物を貫通して締結するための締結部品として幅広い用途で利用されており、ネジでの締め付け作業においての固定効果や防水効果を高めるために、通常は、予めにネジにワッシャーを噛ませてから締め付け作業を行う。このようにすれば、ネジが締結対象物にねじ込まれ、ワッシャーが、ネジの頭部と締結対象物との間に挟まれるように、締結対象物の表面に密着することにより、優れた固定効果や防水効果をもたらす。
【０００３】
締め付け作業を繰り返し行う場合においては、ネジを一本ずつ手に取りワッシャーを噛ませてから締め付け作業をするので、非常に面倒であった。この課題の解決するために、その後、複数のネジを順に組み付けることができるネジ保持ベルトが開発された。その構造においては、該ネジ保持ベルトが、ベルト体と、該ベルト体上に一定間隔で配列される複数の保持孔を備え、該各保持孔の開口周縁に複数の屈曲可能な支持片が設けられることから、ネジが該保持孔に差し込まれると、当該ネジ上において噛んでいるワッシャーが、該複数の保持片に当接するように支持され、そのワッシャーは、ベルト体とネジの頭部との間に介在することから、当該ネジが、ネジ先端部から保持孔を通り抜けることなくネジ保持ベルト上に保持される。故に、使用者は、一度に複数のネジを携帯することができ、且つワッシャーが着脱自在に保持孔に保持されているので、ワッシャー付きのネジを容易にネジ保持ベルトから取り外すことができる。
【０００４】
ワッシャー付きのネジが、複数の保持片に支持されるワッシャーを介して、ネジ先端部から保持孔を通り抜けることがないように保持されているが、不注意により、ネジ保持ベルトを上下逆さまに持ち運んでしまった場合、保持孔に支持されているワッシャーは、その表面が平らで滑らかであり、且つネジ保持ベルトとの間に固定手段もないことから、保持孔内に強固に保持されず、保持孔からずれ落ちる可能性があるので、改善する必要があった。
【先行技術文献】
【特許文献】
【０００５】
【特許文献１】台湾登録実用新案第Ｍ４４９８７９Ｕ号公報
【発明の概要】
【発明が解決しようとする課題】
【０００６】
本発明は、前記従来技術の欠点に鑑みてなされたものであり、ネジ保持ベルトとの間に固定手段が設けられ、保持孔内に強固に保持されて、保持孔からずれ落ちることのない改良型ワッシャーを提供することを目的としている。
【課題を解決するための手段】
【０００７】
上記目的を達成するために、本発明は、改良型ワッシャーであって、ネジ保持ベルト上に保持されると共に、リング本体と、該リング本体の頂面に接着するように覆い被さる金属シェルを備え、
前記リング本体は、前記頂面を上部に備える小径筒状部と当該小径筒状部における下部に連なる大径筒状部とからなり、該大径筒状部における頂面が規制底壁とされるとともに、該リング本体の中央において頂面から底面まで貫通する挿通孔とを備え、
前記金属シェルは、前記リング本体の頂面から外周側に向かって延在すると共に、その底周縁に前記規制底壁と対向する規制部が構成され、当該規制部と前記規制底壁と前記小径筒状部とで環状溝を構成するとともに、該金属シェルの中央に、前記挿通孔と対応する孔穴が形成されることを特徴とする。
【発明の効果】
【０００８】
本発明に係る改良型ワッシャーは、リング本体上に環状溝が形成されることにより、使用者がネジをリング本体に挿着して、ネジ保持ベルトの保持孔に取り付けると、該保持孔の保持片が、該リング本体の環状溝に嵌め込まれて、該リング本体の両保持壁面によって制限されることから、使用者が、ネジ保持ベルトを上下逆さまに持ち運んでも、本発明の改良型ワッシャーは依然として、ネジ保持ベルト上に強固に保持され、保持孔からずれ落ちることがないので、使用上の利便性が向上する。
【０００９】
さらに、本発明に係る改良型ワッシャーの他の形態においては、リング本体上に環状溝と金属シェルが設けられることで、使用者がネジをリング本体に挿着して、ネジ保持ベルトの保持孔に取り付けると、該保持孔の保持片が、該リング本体の環状溝に嵌め込まれて、該リング本体の両保持壁面によって制限されることから、使用者が、ネジ保持ベルトを上下逆さまに持ち運んでも、本発明の改良型ワッシャーは依然として、ネジ保持ベルト上に強固に保持され、保持孔からずれ落ちることがないので、使用上の利便性が向上すると共に、該金属シェルが設けられることにより、当該ネジをトタン張りの建物の屋根や外壁に直接に締め付ける場合において、空気や水の漏れ防止効果をもたらす。
【図面の簡単な説明】
【００１０】
【図１】本発明に係る改良型ワッシャーの好適な実施例の斜視図である。
【図２】本発明に係る改良型ワッシャーの好適な実施例の側面図である。
【図３】本発明に係る改良型ワッシャーの好適な実施例の平面図である。
【図４】本発明に係る改良型ワッシャーの好適な実施例において、複数のワッシャー付きのネジがネジ保持ベルト上に挿着された状態を示す部分分解図である。
【図５】本発明に係る改良型ワッシャーの好適な実施例において、ワッシャー付きのネジがネジ保持ベルト上に挿着された状態を示す一部断面図である。
【図６】本発明に係る改良型ワッシャーの他の好適な実施例の斜視図である。
【図７】本発明に係る改良型ワッシャーの他の好適な実施例の平面図である。
【図８】本発明に係る改良型ワッシャーの更に他の好適な実施例の斜視図である。
【図９】本発明に係る改良型ワッシャーの更に他の好適な実施例の側面図である。
【図１０】本発明に係る改良型ワッシャーの更に他の好適な実施例において、ワッシャー付きのネジがネジ保持ベルト上に挿着された状態を示す一部断面図である。
【発明を実施するための形態】
【００１１】
図１、図４、図６及び図８には、本発明に係る改良型ワッシャーの三つの好適な実施例がそれぞれ開示されており、それらの図面からも分かるように、該改良型ワッシャーは、ネジ保持ベルト上に取り付けられるために用いられると共に、リング本体１０Ａ、１０Ｂ、１０Ｃを備える。
【００１２】
図１から図３は、本発明に係る改良型ワッシャーの複数の好適な実施例のうちの一つを示しており、それによると、リング本体１０Ａは、環状溝１２Ａと、二つの保持壁面１３Ａと、挿通孔１４Ａを含み、該環状溝１２Ａが該リング本体１０Ａの外周壁面１１Ａ上に形成され、該二つの保持壁面１３Ａが、対向するように該環状溝１２Ａ内に位置し、そのうちの一つが該環状溝１２Ａのリング本体１０Ａ頂面寄りの側面に位置すると共に、もう一つが底面寄りの側面に位置し、該挿通孔１４Ａが、該リング本体１０Ａの中央において頂面から底面まで貫通する。尚、前記リング本体１０Ａは、ゴム或はシリコーンゴムからなることが好ましい。
【００１３】
図６及び図７は、本発明に係る改良型ワッシャーの他の好適な実施例を示しており、当該リング本体１０Ｂは、その挿通孔１４Ｂの内周壁面上に、間隔をおいて囲繞するように配置される複数の突起１５Ｂを含む。
【００１４】
図８及び図９は、本発明に係る改良型ワッシャーの更に他の好適な実施例を示しており、当該改良型ワッシャーは、リング本体１０Ｃと、該リング本体１０Ｃの頂面に接着されて覆い被さる金属シェル２０Ｃを備え、該リング本体１０Ｃは、前記頂面を上部に備える小径筒状部５０と、当該小径筒状部５０における下部に連なる大径筒状部６０とからなるとともに、環状溝１２Ｃと、該大径筒状部６０における頂面からなる規制底壁１６Ｃと、挿通孔１４Ｃを含み、該環状溝１２Ｃは、該リング本体１０Ｃの外周壁面１１Ｃ上に形成され、該規制底壁１６Ｃは、該環状溝１２Ｃのリング本体１０Ｃ底面寄りの側面に位置し、該挿通孔１４Ｃは、該リング本体１０Ｃの中央において頂面から底面まで貫通し、前記金属シェル２０Ｃは、前記リング本体１０Ｃの頂面に接着されて覆い被さると共に、該リング本体１０Ｃの頂面から外周側に向かって延在し、その底周縁に、前記規制底壁１６Ｃと対向する規制部２２Ｃが設けられ、該金属シェル２０Ｃの中央に、前記挿通孔１４Ｃと対応する孔穴２３Ｃが形成され、当該規制部２２Ｃと前記規制底壁１６Ｃと前記小径筒状部５０とで前記環状溝１２Ｃを構成するとともに、該金属シェル２０Ｃは、該孔穴２３Ｃから周囲に向かって下方に傾斜するテーパ状を呈する。尚、前記リング本体１０Ｃは、ゴム或はシリコーンゴムからなることが好ましく、また、該リング本体１０Ｃは、該リング本体１０Ｃを被覆する塗装層１７Ｃを有し、該塗装層１７Ｃの色は、前記金属シェル２０Ｃと同色であることが好ましい。
【００１５】
図１、図４及び図５に示すように、本発明に係る改良型ワッシャーの複数の好適な実施例のうちの一つにおいては、ネジ３０を該改良型ワッシャーの挿通孔１４Ａに差し込んでから、ネジ保持ベルト４０の保持孔に取り付けるものであり、該ネジ保持ベルト４０は、ベルト体４１と、該ベルト体４１上に一定間隔で配列される複数の保持孔４２を備え、該ネジ保持ベルト４０上に、複数の、該改良型ワッシャーと組み付けられているネジ３０が取り付けられる。また、前記ネジ３０を前記ネジ保持ベルト４０に取り付ける際には、まず、該ネジ３０をその先端部から該ネジ保持ベルト４０の保持孔４２に、該改良型ワッシャーが当接するまで差し込み、その後、該ネジ３０の頭部を押し続けるようにして、該改良型ワッシャーを該保持孔４２内に嵌め込む。すると、前記保持孔４２の開口周縁に設けられる複数の保持片が、該改良型ワッシャーの環状溝１２Ａ内に嵌め込まれて、該環状溝１２Ａ内の二つの保持壁面１３Ａによって制限されることで、該改良型ワッシャーが、該ベルト体４１上に係止される。この構成によれば、使用者が当該ネジ保持ベルト４０を上下逆さまに持ち運んでも、本発明の改良型ワッシャーは依然として、前記ベルト体４１上に強固に保持され続けることから、前記保持孔４２からずれ落ちることはないので、使用上の利便性が向上する。
【００１６】
図４、図６及び図７に示すように、本発明に係る改良型ワッシャーの他の好適な実施例においては、前記リング本体１０Ｂの挿通孔１４Ｂ内に複数の突起１５Ｂが設けられることにより、ネジ３０が該挿通孔１４Ｂに差し込まれる際に、該複数の突起１５Ｂが当該ネジ３０の胴体部を挟持するように保持することにより、該挿通孔１４Ｂ内においてネジ３０を安定的に保持できるので、ネジ保持ベルト４０の使い勝手や携帯性が一層向上する。
【００１７】
図８〜図１０は、本発明に係る改良型ワッシャーの更に他の好適な実施例を示すものであり、当該改良型ワッシャーは、金属シェル２０Ｃを備え、前記ネジ保持ベルト４０に取り付ける際には、まず、ネジ３０に当該改良型ワッシャーを噛ませ、その後、該ネジ３０を該ネジ保持ベルト４０の保持孔４２に、該改良型ワッシャーを当接させるまで差し込み、さらに、該ネジ３０の頭部を押し続けて、該改良型ワッシャーを該保持孔４２内に嵌め込ませる。すると、前記保持孔４２の開口周縁に設けられる複数の保持片が該改良型ワッシャーの環状溝１２Ｃ内に嵌め込まれて、該環状溝１２Ｃの規制底壁１６Ｃ及び該金属シェル２０Ｃの規制部２２Ｃによって制限されることで、該改良型ワッシャーが該ベルト体４１上に係止される。この構成によれば、使用者が、当該ネジ保持ベルト４０を上下逆さまに持ち運んでいたとしても、本発明の改良型ワッシャーは依然として、前記ベルト体４１上に強固に保持され続けることから、前記保持孔４２からずれ落ちることはないので、使用上の利便性が向上する。一方、前記金属シェル２０Ｃを設けて、当該ネジをトタン張りの建物（図示せず）の外壁や屋根（図示せず）に直接に締め付ける場合、空気や水に対する漏れ防止効果をもたらす。さらに、前記リング本体１０Ｃは、前記金属シェル２０Ｃと同じ色の塗装層１７Ｃを有することから、当該改良型ワッシャー全体にわたって均一性と美観性が向上するが、必ずしも、該リング本体１０Ｃの表面の色を、該金属シェル２０Ｃの色と同じにする必要はない。
【００１８】
また、本発明に係る改良型ワッシャーのリング本体は、ゴム或はシリコーンゴムから構成されることから、良好な弾性を持ち、使用者が締め付け作業を行う際に、ネジの頭部と締結対象物との間に挟まれる改良型ワッシャーが適切に弾性変形することにより、良好な密封性をもたらすので、締結箇所の漏れを防止できる。更に、ゴム或はシリコーンゴムなどの材料は、高温に強い特性を有することから、本発明に係る改良型ワッシャーは耐熱性が要求される用途にも適用できる。
【００１９】
上述した技術特徴によれば、本発明に係る改良型ワッシャーは、リング本体上に環状溝が形成されることにより、使用者がネジをリング本体に挿着して、ネジ保持ベルトの保持孔に取り付けると、該保持孔の保持片が、該リング本体の環状溝に嵌め込まれて、該リング本体の両保持壁面によって制限されることから、使用者が、ネジ保持ベルトを上下逆さまに持ち運んでも、本発明の改良型ワッシャーは依然として、ネジ保持ベルト上に強固に保持され、保持孔からずれ落ちることがないので、使用上の利便性が向上する。
【符号の説明】
【００２０】
１０Ａ、１０Ｂ、１０Ｃ  リング本体
１１Ａ、１１Ｃ          外周壁面
１２Ａ、１２Ｃ          環状溝
１３Ａ                  保持壁面
１４Ａ、１４Ｂ、１４Ｃ  挿通孔
１５Ｂ                  突起
１６Ｃ                  規制底壁
１７Ｃ                  塗装層
２０Ｃ                  金属シェル
２２Ｃ                  規制部
２３Ｃ                  孔穴
３０                    ネジ
４０                    ネジ保持ベルト
４１                    ベルト体
４２                    保持孔
５０                    小径筒状部
６０                    大径筒状部
【図１】
0006970989.tif 000002
【図２】
0006970989.tif 000003
【図３】
0006970989.tif 000004
【図４】
0006970989.tif 000005
【図５】
0006970989.tif 000006
【図６】
0006970989.tif 000007
【図７】
0006970989.tif 000008
【図８】
0006970989.tif 000009
【図９】
0006970989.tif 000010
【図１０】
0006970989.tif 000011